(57)【要約】【課題】洗面所やトイレ等にて使用される手乾燥装置において、手に付着した水滴を吸引ノズルで吸引することにより水滴の飛散を防止するとともに、手に付着した水滴を効率良く除去できる手乾燥装置を提供することを目的とする。【解決手段】本体内部に設けた吸引手段２と、前記吸引手段２に接続した風路３と、前記風路３に接続した吸引ノズル４と、前記吸引ノズル４に隣接し回転ブラシ５を有し、前記吸引ノズル４の上に濡れた手を置き、前記吸引手段２を動作させ、前記吸引ノズル４より手の表面に付着した水滴を吸引することにより、水滴の飛散を抑制できるとともに、前記回転ブラシ５を前記吸引ノズル４側へ回転させて、手の表面の水分を拭き取り、前記吸引ノズル４へ水分を誘導することにより、効率良く手の水分を除去できる手乾燥装置１が得られる。【選択図】図１
2010110450.tif 000002
【特許請求の範囲】
【請求項１】
本体内部に設けた吸引手段と、前記吸引手段に接続した風路と、前記風路に接続し本体の表面に配置した吸引ノズルと、前記吸引ノズルに隣接した位置に配置しこの吸引ノズル側に回転させる回転ブラシを有したことを特徴とした手乾燥装置。
【請求項２】
回転ブラシの下部に、清掃手段を設けた請求項１記載の手乾燥装置。
【請求項３】
回転ブラシの下部に、注水手段を設けた請求項１から２のいずれかに記載の手乾燥装置。
【請求項４】
回転ブラシの下部に、消毒槽を設けた請求項１から３のいずれかに記載の手乾燥装置。
【請求項５】
回転ブラシの表面に、撥水処理を施した請求項１から４のいずれかに記載の手乾燥装置。
【請求項６】
回転ブラシの表面に、親水処理を施した請求項１から４のいずれかに記載の手乾燥装置。
【請求項７】
回転ブラシの表面に、弾性材を使用した請求項１から４のいずれかに記載の手乾燥装置。
【請求項８】
回転ブラシの表面に、抗菌処理を施した請求項１から４のいずれかに記載の手乾燥装置。
【請求項９】
吸引ノズル近傍にオゾン発生装置を設けたことを特徴とした請求項１から８のいずれかに記載の手乾燥装置。
【請求項１０】
吸引ノズル近傍にマイナスイオン発生装置を設けたことを特徴とした請求項１から８のいずれかに記載の手乾燥装置。
【請求項１１】
風路内部にオゾン発生装置を設けたことを特徴とした請求項１から１０のいずれかに記載の手乾燥装置。
【請求項１２】
風路内部にマイナスイオン発生装置を設けたことを特徴とした請求項１から１０のいずれかに記載の手乾燥装置。
【請求項１３】
風路内部に殺菌灯を設けたことを特徴とした請求項１から１０のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、手の表面に付着した水滴を吸引し、乾燥させるものが知られていた（例えば特許文献１参照）。
【０００３】
以下、その手乾燥装置について図１１を参照しながら説明する。
【０００４】
図１１に示すように、手乾燥装置１０１は本体内部に設けた吸引手段１０２と、前記吸引手段１０２に接続した風路１０３と、前記風路１０３に接続した吸引ノズル１０４を有し、前記吸引手段１０２を動作させることにより、前記吸引ノズル１０４より手の表面に付着した水滴を吸引し、手を乾燥させるものである。
【特許文献１】特開２００７−１０５１５５号公報（段落番号００５９，図１）
【発明の開示】
【発明が解決しようとする課題】
【０００５】
このような従来の手乾燥装置の方法では、手に付着した水分を吸引するのに時間がかかるという課題があった。
【０００６】
本発明は、上記従来の課題を解決するもので、本体内部に設けた吸引手段と、前記吸引手段に接続した風路と、前記風路に接続し本体の表面に配置した吸引ノズルと、前記吸引ノズルに隣接した位置に配置しこの吸引ノズル側に回転させる回転ブラシを設け、前記吸引ノズルの上に濡れた手を置いた時に、前記吸引ノズルより手の表面に付着した水滴を吸引することができるとともに、前記回転ブラシを前記吸引ノズル側へ回転させて、手の表面の水分を拭き取り、前記吸引ノズルへ水分を誘導することにより、効率良く手の水分を除去できる手乾燥装置を提供することを目的としている。
【課題を解決するための手段】
【０００７】
本発明の手乾燥装置は、上記目的を達成するために、本体内部に設けた吸引手段と、前記吸引手段に接続した風路と、前記風路に接続した吸引ノズルと、前記吸引ノズルに隣接した位置に回転ブラシを有する構成としたものである。
【０００８】
この手段により、吸引手段を動作させ、吸引ノズルより手の表面に付着した水滴を吸引することにより、水滴の飛散を抑制するとともに、回転ブラシを前記吸引ノズル側へ回転させて、手の表面の水分を拭き取り、前記吸引ノズルへ水分を誘導することにより、効率良く手の水分を除去できる手乾燥装置が得られる。
【０００９】
また、回転ブラシの下部に清掃手段を設けたものである。
【００１０】
この手段により、回転ブラシの表面を、清潔に保つことができる手乾燥装置が得られる。
【００１１】
また、回転ブラシの下部に、注水手段を設けたものである。
【００１２】
この手段により、回転ブラシを水洗いでき、前記回転ブラシの表面を、清潔に保つことができる手乾燥装置が得られる。
【００１３】
また、回転ブラシの下部に消毒槽を設けたものである。
【００１４】
この手段により、回転ブラシの表面を、清潔に保つことができる手乾燥装置が得られる。
【００１５】
また、回転ブラシの表面に、撥水処理を施したものである。
【００１６】
この手段により、回転ブラシに水分が付着しにくくなり、人の手が触れる前記回転ブラシの表面を、清潔に保つことができる手乾燥装置が得られる。
【００１７】
また、回転ブラシの表面に、親水処理を施したものである。
【００１８】
この手段により、手に付着した水分を吸着し易くなり、効率的に乾燥させることができる手乾燥装置が得られる。
【００１９】
また、回転ブラシの表面に、弾性材を使用したものである。
【００２０】
この手段により、手が回転ブラシに密着し、手に付着した水分を拭き取り易くなり、効率的に乾燥させることができる手乾燥装置が得られる。
【００２１】
また、回転ブラシの表面に、抗菌処理を施したものである。
【００２２】
この手段により、回転ブラシの表面に細菌が繁殖し難くなり、人の手が触れる前記回転ブラシの表面を清潔に保つことができる手乾燥装置が得られる。
【００２３】
また、吸引ノズルおよび回転ブラシの近傍にオゾン発生装置を設けたものである。
【００２４】
この手段により、オゾンを発生させることにより細菌が繁殖し難くなり、吸引ノズルおよび回転ブラシを清潔に保つことができる手乾燥装置が得られる。
【００２５】
また、吸引ノズルおよび回転ブラシの近傍にマイナスイオン発生装置を設けたものである。
【００２６】
この手段により、マイナスイオンを発生させることにより細菌が繁殖し難くなり、吸引ノズルおよび回転ブラシを清潔に保つことができる手乾燥装置が得られる。
【００２７】
また、風路内部にオゾン発生装置を設けたものである。
【００２８】
この手段により、オゾンを発生させることにより細菌が繁殖し難くなり、風路内部を清潔に保つことができる手乾燥装置が得られる。
【００２９】
また、風路内部にマイナスイオン発生装置を設けたものである。
【００３０】
この手段により、マイナスイオンを発生させることにより細菌が繁殖し難くなり、風路内部を清潔に保つことができる手乾燥装置が得られる。
【００３１】
また、風路内部に殺菌灯を設けたものである。
【００３２】
この手段により、紫外線を照射することにより細菌が繁殖し難くなり、風路内部を清潔に保つことができる手乾燥装置が得られる。
【発明の効果】
【００３３】
本発明によれば、本体内部に設けた吸引手段と、前記吸引手段に接続した風路と、前記風路に接続し本体の表面に配置した吸引ノズルと、前記吸引ノズルに隣接した位置に配置しこの吸引ノズル側に回転させる回転ブラシを有し、前記吸引手段を動作させ、前記吸引ノズルより手の表面に付着した水滴を吸引することにより、水滴の飛散を抑制するとともに、前記回転ブラシを前記吸引ノズル側へ回転させて、手の表面の水分を拭き取り、前記吸引ノズルへ水分を誘導することにより、効率良く手の水分を除去できる手乾燥装置を提供できる。
【００３４】
また、回転ブラシの下部に、清掃手段を設けたものであり、回転ブラシの表面を、清潔に保つことができる手乾燥装置を提供できる。
【００３５】
また、回転ブラシの下部に、注水手段を設けたものであり、回転ブラシ水洗いすることにより、前記回転ブラシの表面を、清潔に保つことができる手乾燥装置を提供できる。
【００３６】
また、回転ブラシの下部に消毒槽を設けたものであり、回転ブラシの表面を、清潔に保つことができる手乾燥装置を提供できる。
【００３７】
また、回転ブラシの表面に、撥水処理を施したものであり、前記回転ブラシに水分が付着しにくくなり、人の手が触れる前記回転ブラシの表面を、清潔に保つことができる手乾燥装置を提供できる。
【００３８】
また、回転ブラシの表面に、親水処理を施したものであり、手に付着した水分を吸着し易くなり、効率的に乾燥させることができる手乾燥装置を提供できる。
【００３９】
また、回転ブラシの表面に、弾性材を使用したものであり、手が前記回転ブラシに密着し、手に付着した水分を拭き取り易くなり、効率的に乾燥させることができる手乾燥装置を提供できる。
【００４０】
また、回転ブラシの表面に、抗菌処理を施したものであり、前記回転ブラシの表面に細菌が繁殖し難くなり、人の手が触れる前記回転ブラシの表面を清潔に保つことができる手乾燥装置を提供できる。
【００４１】
また、吸引ノズルおよび回転ブラシの近傍にオゾン発生装置を設けたものであり、オゾンを発生させることにより細菌が繁殖し難くなり、前記吸引ノズルおよび回転ブラシを清潔に保つことができる手乾燥装置を提供できる。
【００４２】
また、吸引ノズルおよび回転ブラシの近傍にマイナスイオン発生装置を設けたものであり、マイナスイオンを発生させることにより細菌が繁殖し難くなり、前記吸引ノズルおよび回転ブラシを清潔に保つことができる手乾燥装置を供給できる。
【００４３】
また、風路内部にオゾン発生装置を設けたものであり、オゾンを発生させることにより細菌が繁殖し難くなり、前記風路内部を清潔に保つことができる手乾燥装置を供給できる。
【００４４】
また、風路内部にマイナスイオン発生装置を設けたものであり、マイナスイオンを発生させることにより細菌が繁殖し難くなり、前記風路内部を清潔に保つことができる手乾燥装置を供給できる。
【００４５】
また、風路内部に殺菌灯を設けたものであり、紫外線を照射することにより細菌が繁殖し難くなり、前記風路内部を清潔に保つことができる手乾燥装置を提供できる。
【発明を実施するための最良の形態】
【００４６】
本発明の請求項１記載の発明は、本体内部に設けた吸引手段と、前記吸引手段に接続した風路と、前記風路に接続し本体の表面に配置した吸引ノズルと、前記吸引ノズルに隣接した位置に配置しこの吸引ノズル側に回転させる回転ブラシを有し、前記吸引ノズルの上に濡れた手を置き、前記吸引手段を動作させ、前記吸引ノズルより手の表面に付着した水滴を吸引することにより、水滴の飛散を抑制することができる作用と、前記回転ブラシを前記吸引ノズル側へ回転させて、手の表面の水分を拭き取り、前記吸引ノズルへ水分を誘導することにより、効率良く手の水分を除去できる作用を有する。
【００４７】
また、回転ブラシの下部に、清掃手段を設けたものであり、前記回転ブラシの表面を、清潔に保つことができる作用を有する。
【００４８】
また、回転ブラシの下部に、注水手段を設けたものであり、回転ブラシを水洗いすることにより、前記回転ブラシの表面を、清潔に保つことができる作用を有する。
【００４９】
また、回転ブラシの下部に消毒槽を設けたものであり、前記回転ブラシの表面を、清潔に保つことができる作用を有する。
【００５０】
また、回転ブラシの表面に、撥水処理を施したものであり、前記回転ブラシに水分が付着しにくくなり、人の手が触れる前記回転ブラシの表面を、清潔に保つことができる作用を有する。
【００５１】
また、回転ブラシの表面に、親水処理を施したものであり、手に付着した水分を吸着し易くなり、効率的に乾燥させることができる作用を有する。
【００５２】
また、回転ブラシの表面に、弾性材を使用したものであり、手が前記回転ブラシに密着し、手に付着した水分を拭き取り易くなり、効率的に乾燥させることができる作用を有する。
【００５３】
また、回転ブラシの表面に、抗菌処理を施したものであり、前記回転ブラシの表面に細菌が繁殖し難くなり、人の手が触れる前記回転ブラシを清潔に保つことができる作用を有する。
【００５４】
また、吸引ノズルおよび回転ブラシの近傍にオゾン発生装置を設けたものであり、オゾンを発生させることにより細菌が繁殖し難くなり、前記吸引ノズルおよび回転ブラシを清潔に保つことができる作用を有する。
【００５５】
また、吸引ノズルおよび回転ブラシの近傍にマイナスイオン発生装置を設けたものであり、マイナスイオンを発生させることにより細菌が繁殖し難くなり、前記吸引ノズルおよび回転ブラシを清潔に保つことができる作用を有する。
【００５６】
また、風路内部にオゾン発生装置を設けたものであり、オゾンを発生させることにより細菌が繁殖し難くなり、前記風路内部を清潔に保つことができる作用を有する。
【００５７】
また、風路内部にマイナスイオン発生装置を設けたものであり、マイナスイオンを発生させることにより細菌が繁殖し難くなり、前記風路内部を清潔に保つことができる作用を有する。
【００５８】
また、風路内部に殺菌灯を設けたものであり、紫外線を照射することにより細菌が繁殖し難くなり、前記風路内部を清潔に保つことができる作用を有する。
【００５９】
（実施の形態１）
図１に示すように、手乾燥装置１は内部に吸引手段２、たとえば吸引ポンプと、前記吸引手段２に接続した風路３と、前記風路３に接続し手乾燥装置１本体の表面に配置した吸引ノズル４と、前記吸引ノズル４に隣接した位置に表面の一部を露出させて配置しこの吸引ノズル４側に回転させる回転ブラシ５により構成される。
【００６０】
上記構成において、吸引ノズル４の上に濡れた手を置き、吸引手段２を動作させ、前記吸引ノズル４より手の表面に付着した水滴を吸引することにより、水滴の飛散を抑制できるとともに、前記回転ブラシ５を前記吸引ノズル４側へ回転させて、手の表面の水分を拭き取り、前記吸引ノズル４へ水分を誘導することにより、効率良く手の水分を除去できる。
【００６１】
なお、本実施の形態１では、吸引ノズルと回転ブラシが１個の手乾燥装置としているが、吸引ノズルと回転ブラシを複数設け、手の両面より吸引する手乾燥装置においても同様の作用効果をもたらすことは言うまでもない。
【００６２】
（実施の形態２）
次に、本発明の実施の形態２について図面を参照しながら説明する。なお，実施の形態１と同一のものは同一番号を付し、その詳細な説明を省略する。
【００６３】
図２に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた回転ブラシ５と、前記回転ブラシ５の下部に設けられた、たとえば清掃ブラシによる清掃手段６により構成される。
【００６４】
上記構成において、吸引ノズル４の上に濡れた手を置き、吸引手段２を動作させ、前記吸引ノズル４より手の表面に付着した水滴を吸引することにより、水滴の飛散を抑制でき、回転ブラシを前記吸引ノズル４側へ回転させて、手の表面の水分を拭き取り、前記吸引ノズル４へ水分を誘導することにより、効率良く手の水分を除去でき、前記回転ブラシ５を回転させながら、清掃手段６を動作させることにより、前記回転ブラシ５の表面を、清潔に保つことできる。
【００６５】
（実施の形態３）
次に、本発明の実施の形態３について図面を参照しながら説明する。なお，実施の形態１、２と同一のものは同一番号を付し、その詳細な説明を省略する。
【００６６】
図３に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた回転ブラシ５と、前記回転ブラシ５の下部に設けられた、注水手段７により構成される。
【００６７】
上記構成において、吸引ノズル４の上に濡れた手を置き、吸引手段２を動作させ、前記吸引ノズル４より手の表面に付着した水滴を吸引することにより、水滴の飛散を抑制でき、回転ブラシ５を前記吸引ノズル４側へ回転させて、手の表面の水分を拭き取り、前記吸引ノズル４へ水分を誘導することにより、効率良く手の水分を除去でき、前記回転ブラシ５を回転させながら、注水手段７を動作させることにより、前記回転ブラシ５を水洗いすることができ、人の手が触れる前記回転ブラシ５の表面を、清潔に保つことできる。
【００６８】
（実施の形態４）
次に、本発明の実施の形態４について図面を参照しながら説明する。なお，実施の形態１、２、３と同一のものは同一番号を付し、その詳細な説明を省略する。
【００６９】
図４に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた回転ブラシ５と、前記回転ブラシ５の下部に設けられた、たとえばエタノールを使用した消毒槽８により構成される。
【００７０】
上記構成において、吸引ノズル４の上に濡れた手を置き、吸引手段２を動作させ、前記吸引ノズル４より手の表面に付着した水滴を吸引することにより、水滴の飛散を抑制でき、回転ブラシを前記吸引ノズル４側へ回転させて、手の表面の水分を拭き取り、前記吸引ノズル４へ水分を誘導することにより、効率良く手の水分を除去でき、前記回転ブラシ５を回転させながら、消毒槽８に浸漬させることにより、前記回転ブラシ５の表面を、清潔に保つことできる。
【００７１】
（実施の形態５）
次に、本発明の実施の形態５について図面を参照しながら説明する。なお，実施の形態１，２、３、４と同一のものは同一番号を付し、その詳細な説明を省略する。
【００７２】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を撥水処理、たとえばフッ素コーティングされた回転ブラシ５により構成される。
【００７３】
上記構成において、吸引ノズル４の上に濡れた手を置き、吸引手段２を動作させ、前記吸引ノズル４より手の表面に付着した水滴を吸引することにより、手に付着した水滴が衣服や床へ飛散することを抑制でき、回転ブラシ５を前記吸引ノズル４側へ回転させて、手の表面の水分を拭き取り、前記吸引ノズル４へ水分を誘導することにより、効率良く手の水分を除去でき、撥水処理により前記回転ブラシ５に水分が付着しにくくなり、人の手が触れる前記回転ブラシ５の表面を清潔に保つことできる。
【００７４】
（実施の形態６）
次に、本発明の実施の形態６について図面を参照しながら説明する。なお、実施の形態１、２、３、４、５と同一のものは同一番号を付し、その詳細な説明を省略する。
【００７５】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を親水処理、たとえば光触媒処理された回転ブラシ５により構成される。
【００７６】
上記構成において、吸引ノズル４の上に濡れた手を置き、吸引手段２を動作させ、前記吸引ノズル４より手の表面に付着した水滴を吸引することにより、手に付着した水滴が衣服や床へ飛散することを抑制でき、回転ブラシ５を前記吸引ノズル４側へ回転させて、手の表面の水分を拭き取り、前記吸引ノズル４へ水分を誘導することにより、効率良く手の水分を除去でき、前記回転ブラシ５の表面に、親水処理を施したものであり、手に付着した水分を吸着し易くなり、効率的に乾燥させることができる。
【００７７】
（実施の形態７）
次に、本発明の実施の形態７について図面を参照しながら説明する。なお、実施の形態１、２、３、４、５、６と同一のものは同一番号を付し、その詳細な説明を省略する。
【００７８】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を弾性材、たとえばゴムでできた回転ブラシ５により構成される。
【００７９】
上記構成において、吸引ノズル４の上に濡れた手を置き、吸引手段２を動作させ、前記吸引ノズル４より手の表面に付着した水滴を吸引することにより、手に付着した水滴が衣服や床へ飛散することを抑制できでき、回転ブラシ５を前記吸引ノズル４側へ回転させて、手の表面の水分を拭き取り、前記吸引ノズル４へ水分を誘導することにより、効率良く手の水分を除去でき、前記回転ブラシ５に、弾性材を使用したものであり、手が密着し、手に付着した水分を吸着し易くなり、効率的に乾燥させることができる。
【００８０】
（実施の形態８）
次に、本発明の実施の形態８について図面を参照しながら説明する。なお、実施の形態１、２、３、４、５、６、７と同一のものは同一番号を付し、その詳細な説明を省略する。
【００８１】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を抗菌処理、たとえば銀イオン処理された回転ブラシ５により構成される。
【００８２】
上記構成において、吸引ノズル４の上に濡れた手を置き、吸引手段２を動作させ、前記吸引ノズル４より手の表面に付着した水滴を吸引することにより、手に付着した水滴が衣服や床へ飛散することを抑制でき、回転ブラシ５を前記吸引ノズル４側へ回転させて、手の表面の水分を拭き取り、前記吸引ノズル４へ水分を誘導することにより、効率良く手の水分を除去でき、前記回転ブラシ５の表面に、抗菌処理を施したものであり、前記回転ブラシ５の表面に細菌が繁殖し難くなり、人の手が触れる前記回転ブラシ５の表面を清潔に保つことができる。
【００８３】
（実施の形態９）
次に、本発明の実施の形態９について図面を参照しながら説明する。なお、実施の形態１、２、３、４、５、６、７、８と同一のものは同一番号を付し、その詳細な説明を省略する。
【００８４】
図６に示すように、手乾燥装置１は内部に吸引手段２と、前記吸引手段２に接続した風路３と、前記風路３に接続した吸引ノズル４と、前記吸引ノズル４に隣接した位置に設けられた回転ブラシ５と、前記吸引ノズル４および回転ブラシ５の近傍に設置されたオゾン発生装置９により構成される。
【００８５】
上記構成において、オゾン発生装置９を動作させることにより発生したオゾンが、吸引ノズル４および回転ブラシ５での雑菌の繁殖を抑制し、前記吸引ノズル４および回転ブラシ５を清潔に保つことができる。
【００８６】
（実施の形態１０）
次に、発明の実施の形態１０について図面を参照しながら説明する。なお、施の形態１、２、３、４、５、６、７、８、９と同一のものは同一番号を付し、その詳細な説明を省略する。
【００８７】
図７に示すように、手乾燥装置１は内部に吸引手段２と、前記吸引手段２に接続した風路３と、前記風路３に接続した吸引ノズル４と、前記吸引ノズル４に隣接した位置に設けられた回転ブラシ５と、前記吸引ノズル４および回転ブラシ５の近傍に設置されたマイナスイオン発生装置１０により構成される。
【００８８】
上記構成において、マイナスイオン発生装置１０を動作させることにより発生したマイナスイオンが、吸引ノズル４および回転ブラシ５での雑菌の繁殖を抑制し、前記吸引ノズル４および回転ブラシ５を清潔に保つことができる。
【００８９】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００９０】
図８に示すように、手乾燥装置１は内部に吸引手段２と、前記吸引手段２に接続した風路３と、前記風路３に接続した吸引ノズル４と、前記吸引ノズル４に隣接した位置に設けられた回転ブラシ５と、前記風路３の内部に設置されたオゾン発生装置９により構成される。
【００９１】
上記構成において、オゾン発生装置９を動作させることにより発生したオゾンが、風路３内部での雑菌の繁殖を抑制し、前記風路３内部を清潔に保つことができる。
【００９２】
（実施の形態１２）
次に、本発明の実施の形態１２について図面を参照しながら説明する。なお、実施の形態１、２、３、４、５、６、７、８、９、１０、１１と同一のものは同一番号を付し、その詳細な説明を省略する。
【００９３】
図９に示すように、手乾燥装置１は内部に吸引手段２と、前記吸引手段２に接続した風路３と、前記風路３に接続した吸引ノズル４と、前記吸引ノズル４に隣接した位置に設けられた回転ブラシ５と、前記風路３の内部に設置されたマイナスイオン発生装置１０により構成される。
【００９４】
上記構成において、マイナスイオン発生装置１０を動作させることにより発生したマイナスイオンが、風路３内部での雑菌の繁殖を抑制し、前記風路３内部を清潔に保つことができる。
【００９５】
（実施の形態１３）
次に、本発明の実施の形態１３について図面を参照しながら説明する。なお、実施の形態１、２、３、４、５、６、７、８、９、１０、１１、１２と同一のものは同一番号を付し、その詳細な説明を省略する。
【００９６】
図１０に示すように、手乾燥装置１は内部に吸引手段２と、前記吸引手段２に接続した風路３と、前記風路３に接続した吸引ノズル４と、前記吸引ノズル４に隣接した位置に設けられた回転ブラシ５と、前記風路３の内部に設置された殺菌灯１１により構成される。
【００９７】
上記構成において、殺菌灯１１を点灯させることにより発生した紫外線が、風路３内部での雑菌の繁殖を抑制し、前記風路３内部を清潔に保つことができる。
【産業上の利用可能性】
【００９８】
水滴の飛散を防止した乾燥ができることにより、水洗いした後の乾燥手法において、水滴の飛散を防止した乾燥を行うとともに清潔を保つことができる。
【図面の簡単な説明】
【００９９】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５、６、７、８の手乾燥装置の構成を示す概略図
【図６】本発明の実施の形態９の手乾燥装置の構成を示す概略図
【図７】本発明の実施の形態１０の手乾燥装置の構成を示す概略図
【図８】本発明の実施の形態１１の手乾燥装置の構成を示す概略図
【図９】本発明の実施の形態１２の手乾燥装置の構成を示す概略図
【図１０】本発明の実施の形態１３の手乾燥装置の構成を示す概略図
【図１１】従来の手乾燥装置の構成を示す概略図
【符号の説明】
【０１００】
１      手乾燥装置
２      吸引手段
３      風路
４      吸引ノズル
５      回転ブラシ
６      清掃手段
７      注水手段
８      消毒槽
９      オゾン発生装置
１０    マイナスイオン発生装置
１１    殺菌灯
１０１  手乾燥装置
１０２  吸引手段
１０３  風路
１０４  吸引ノズル
【図１】
2010110450.tif 000003
【図２】
2010110450.tif 000004
【図３】
2010110450.tif 000005
【図４】
2010110450.tif 000006
【図５】
2010110450.tif 000007
【図６】
2010110450.tif 000008
【図７】
2010110450.tif 000009
【図８】
2010110450.tif 000010
【図９】
2010110450.tif 000011
【図１０】
2010110450.tif 000012
【図１１】
2010110450.tif 000013